(57)【特許請求の範囲】
【請求項１】
複数の鍵と、
前記複数の鍵それぞれに対応して設けられ、当該複数の鍵それぞれの押鍵操作によって回転し、かつ予め定められた荷重以上の負荷が加わった際に弾性変形する弾性変形部を有する複数の伝達部材と、
前記複数の鍵それぞれに対応して設けられ、前記押鍵操作された鍵に対応する前記伝達部材によって回転動作することにより、前記押鍵操作されている鍵に対してアクション荷重を付与する複数のハンマー部材と、
前記複数の伝達部材それぞれに設けられ、前記複数の弾性変形部それぞれが弾性変形した際に、前記複数のハンマー部材それぞれを押し上げる複数のハンマー押上げ部と、
を備え、
前記弾性変形部は、前記鍵に当接して押し上げられる第１弾性変形部と、前記ハンマー部材に当接して当該ハンマー部材を押し上げる第２弾性変形部とを有し、前記第１弾性変形部と前記第２弾性変形部とが互いに接近する方向に弾性変形することを特徴とする鍵盤装置のアクション機構。
【請求項２】
請求項１に記載の鍵盤装置のアクション機構において、前記複数の伝達部材それぞれに対応して設けられ、前記複数の弾性変形部それぞれの上限位置を規制する複数の伝達ストッパ部を備えていることを特徴とする鍵盤装置のアクション機構。
【請求項３】
請求項２に記載の鍵盤装置のアクション機構において、前記伝達ストッパ部は、前記ハンマー部材に当接して当該ハンマー部材を押し上げる前記第２弾性変形部の上限位置を規制することを特徴とする鍵盤装置のアクション機構。
【請求項４】
請求項１〜請求項３のいずれかに記載の鍵盤装置のアクション機構において、前記ハンマー押上げ部は、前記鍵に当接して押し上げられる前記第１弾性変形部に設けられ、前記第１弾性変形部と前記第２弾性変形部とが互いに接近する方向に弾性変形した際に前記第２弾性変形部の上方に突出することを特徴とする鍵盤装置のアクション機構。
【請求項５】
請求項１〜請求項４のいずれかに記載の鍵盤装置のアクション機構において、前記ハンマー部材は、前記ハンマー押上げ部が接離可能に当接する当接突起部を有し、前記ハンマー押上げ部は、前記当接突起部に当接した状態で前記ハンマー部材に予め定められた以上の負荷が加わった際に、当該当接突起部から逃げる方向に弾性変形する逃げ変形部を有していることを特徴とする鍵盤装置のアクション機構。
【請求項６】
請求項１〜請求項５のいずれかに記載された鍵盤装置のアクション機構と、
前記複数のハンマー部材それぞれに対応して設けられ、当該ハンマー部材の回転動作に応答して押圧されることにより、オン信号を形成するスイッチ部材と、
前記オン信号に応答して楽音信号を生成する音源部と、
を備えていることを特徴とする鍵盤楽器。
【発明の詳細な説明】
【技術分野】
【０００１】
この発明は、ピアノなどの鍵盤楽器に用いられる鍵盤装置のアクション機構およびそれを備えた鍵盤楽器に関する。
【背景技術】
【０００２】
例えば、ピアノなどの鍵盤装置のアクション機構においては、特許文献１に記載されているように、鍵の押鍵操作によって回転するウイペンと、このウイペンの回転動作に応じて駆動されるジャックと、このジャックによって駆動されて弦を打撃するハンマー部材とを備え、これらが複数の鍵それぞれに対応して設けられた構成のものが知られている。
【先行技術文献】
【特許文献】
【０００３】
【特許文献１】特開２００２−２５８８３５号公報
【０００４】
このような鍵盤装置のアクション機構は、鍵が押鍵操作されると、その押鍵操作された鍵によってウイペンが回転し、このウイペンに搭載されたジャックがウイペンによって駆動されてハンマー部材を押し上げることにより、ハンマー部材が回転して弦を打撃するように構成されている。
【０００５】
このため、この鍵盤装置のアクション機構では、ウイペンおよびハンマー部材を木材で製作することにより、鍵を強く押鍵した際に、ウイペンおよびハンマー部材に撓りが生じ、この撓りによってハンマー部材の動作に遅れが生じ、この遅れ時間によってアコ―スティックピアノの鍵タッチ感に近似した鍵タッチ感が得られる。
【０００６】
また、この鍵盤装置のアクション機構は、鍵が離鍵する際に、ウイペンに搭載されているレペティションレバーによって支持されるハンマー部材の下側にジャックが移動することにより、鍵が初期位置に戻るように構成されている。このため、このアクション機構では、離鍵時に鍵が初期位置に戻る前に、再び同じ鍵が押鍵されると、ハンマー部材の下側に移動したジャックが再びハンマー部材を押し上げることにより、連打することができる。
【発明の概要】
【発明が解決しようとする課題】
【０００７】
しかしながら、このような鍵盤装置では、ウイペンにジャックを設けるために、支柱やレペティションレバーなどの部品が必要となるため、部品点数が多くなり、構造が複雑で煩雑になるばかりか、ウイペンおよびハンマー部材に撓りを生じさせるために、ウイペンおよびハンマー部材を木材で製作する必要があり、このためウイペンおよびハンマー部材の製作が面倒で、生産性が悪いなどの問題がある。
【０００８】
この発明が解決しようとする課題は、簡単な構造で、生産性が良く、かつアコ―スティックピアノの鍵タッチ感に近似した鍵タッチ感を得ることができる鍵盤装置のアクション機構およびそれを備えた鍵盤楽器を提供することである。
【課題を解決するための手段】
【０００９】
この発明の一実施例は、複数の鍵と、前記複数の鍵それぞれに対応して設けられ、当該複数の鍵それぞれの押鍵操作によって回転し、かつ予め定められた荷重以上の負荷が加わった際に弾性変形する弾性変形部を有する複数の伝達部材と、前記複数の鍵それぞれに対応して設けられ、前記押鍵操作された鍵に対応する前記伝達部材によって回転動作することにより、前記押鍵操作されている鍵に対してアクション荷重を付与する複数のハンマー部材と、前記複数の伝達部材それぞれに設けられ、前記複数の弾性変形部それぞれが弾性変形した際に、前記複数のハンマー部材それぞれを押し上げる複数のハンマー押上げ部と、を備え、前記弾性変形部は、前記鍵に当接して押し上げられる第１弾性変形部と、前記ハンマー部材に当接して当該ハンマー部材を押し上げる第２弾性変形部とを有し、前記第１弾性変形部と前記第２弾性変形部とが互いに接近する方向に弾性変形することを特徴とする鍵盤装置のアクション機構である。
【発明の効果】
【００１０】
この発明によれば、鍵が押鍵されて伝達部材を押し上げる際に、伝達部材の弾性変形部が弾性変形してハンマー部材の動作に遅れを生じさせることができると共に、ハンマー押上げ部によってハンマー部材を押し上げることができる。また、離鍵時に弾性変形部の弾性復帰によってハンマー押上げ部を弾性変形部に潜り込ませて連打性を向上させることができる。これにより、アコ―スティックピアノの鍵タッチ感に極めて近似した鍵タッチ感を得ることができると共に、伝達部材に弾性変形部およびハンマー押上げ部を一体に形成できるので、構造が簡単で、生産性の向上を図ることができる。
【図面の簡単な説明】
【００１１】
【図１】この発明を電子鍵盤楽器に適用した第１実施形態における鍵盤装置を示した平面図である。
【図２】図１に示された鍵盤装置のＡ−Ａ矢視における拡大断面図である。
【図３】図２に示された鍵盤装置の鍵が押鍵された状態を示した拡大断面図である。
【図４】図２に示された鍵盤装置の伝達部材を示し、（ａ）はその拡大側面部、（ｂ）はその拡大平面図、（ｃ）はその拡大正面図である。
【図５】図２に示された鍵盤装置の押鍵特性を示した図である。
【発明を実施するための形態】
【００１２】
以下、図１〜図５を参照して、この発明を電子鍵盤楽器に適用した一実施形態について説明する。
この電子鍵盤楽器は、図１〜図３に示すように、鍵盤装置１を備えている。この鍵盤装置１は、楽器ケース（図示せず）内に組み込まれるものである。この鍵盤装置１は、並列に配列された複数の鍵２と、これら複数の鍵２の押鍵操作に応じて各鍵２それぞれにアクション荷重を付与するアクション機構３と、を備えている。
【００１３】
複数の鍵２は、図１〜図３に示すように、白鍵２ａおよび黒鍵２ｂを有し、これら白鍵２ａおよび黒鍵２ｂが例えば８８個並列に配列されている。これら複数の鍵２は、その前後方向（図２では左右方向）におけるほぼ中間部がそれぞれバランスピン４ａ、４ｂによって上下方向に回転可能に支持され、この状態でベース板５上に並列に配列されている。
【００１４】
この場合、ベース板５上には、図２および図３に示すように、複数の鍵２の各前端部（図２では右端部）の各下面がそれぞれ接離可能に当接するクッション材６ａ、６ｂが鍵２の配列方向に沿って設けられている。また、このベース板５上には、複数の鍵２の各後端部（図２では左端部）の各下面がそれぞれ接離可能に当接するクッション材７が鍵２の配列方向に沿って設けられている。さらに、このベース板５上には、複数の鍵２がその配列方向に横振れするのを防ぐためのガイドピン８ａ、８ｂがそれぞれ起立して設けられている。
【００１５】
アクション機構３は、図２および図３に示すように、複数の鍵２の押鍵操作に応じてそれぞれ上下方向に回転する複数の伝達部材１０と、これら複数の伝達部材１０の各回転動作に応じてそれぞれ上下方向に回転して複数の鍵２それぞれにアクション荷重を付与する複数のハンマー部材１１と、を備えている。この場合、複数の鍵２は、複数の伝達部材１０の各重量によって、バランスピン４ａ、４ｂを中心に反時計回りに回転し、各鍵２それぞれを初期位置に押し上げて、各鍵２に初期荷重が付与されるように構成されている。
【００１６】
また、このアクション機構３は、図２および図３に示すように、複数の伝達部材１０をそれぞれ回転自在に保持する複数の伝達保持部１２と、複数のハンマー部材１１をそれぞれ回転自在に保持する複数のハンマー保持部１３と、を備えている。複数の伝達保持部１２は、鍵２の配列方向に沿って配置された伝達支持レール１４上に取り付けられている。また、複数のハンマー保持部１３は、鍵２の配列方向に沿って配置されたハンマー支持レール１５上に取り付けられている。
【００１７】
これら伝達支持レール１４およびハンマー支持レール１５は、図１〜図３に示すように、複数の支持部材１６に支持されて、複数の鍵２の上方に配置されている。複数の支持部材１６は、鍵２の配列方向の全長における予め定められた複数個所にそれぞれ位置した状態で、ベース板５上に起立して取り付けられている。
【００１８】
この場合、複数の鍵２は、図１〜図３に示すように、全体で例えば８８個配列されている。これに応じて、複数の支持部材１６は、複数の鍵２の配列方向における両端部と、例えば２０個の鍵２ごとに位置する３箇所の各鍵２間と、の個所に配置されている。すなわち、この実施形態では、支持部材１６が鍵２の配列方向の全長における５箇所に配置されている。
【００１９】
この支持部材１６は、ＡＢＳ樹脂などの硬質の合成樹脂からなり、図２および図３に示すように、ベース板５上に取り付けられる取付部１６ａと、この取付部１６ａ上に一体に形成されたブリッジ部１６ｂと、を有している。これにより、支持部材１６は、取付部１６ａがベース板５上に取り付けられることにより、ブリッジ部１６ｂが鍵２の上方に突出した状態で、複数の鍵２の後部間に配置されるように構成されている。
【００２０】
伝達支持レール１４は、図２および図３に示すように、断面が四角形の角筒状に形成され、複数の鍵２の配列方向の全長に亘る長さに形成されている。この伝達支持レール１４は、鍵２の配列方向における所定箇所が複数の支持部材１６の後部に設けられた各後側レール支持部１６ｃ上に取り付けられるように構成されている。
【００２１】
この伝達支持レール１４上には、図２および図３に示すように、複数の伝達保持部１２および複数のストッパ支持部１７が鍵２の配列方向に沿って取り付けられている。この場合、複数のストッパ支持部１７は、金属板からなり、複数の支持部材１６に対応する伝達支持レール１４上の５箇所に、複数の伝達保持部１２の上方に突出した状態で取り付けられている。
【００２２】
伝達保持部１２は、ＡＢＳ樹脂などの硬質の合成樹脂からなり、図２および図３に示すように、伝達支持レール１４上に取り付けられる伝達保持本体部１８と、複数の伝達部材１０それぞれが回転自在に取り付けられる複数の軸支持部１９と、を有している。複数の軸支持部１９は、伝達保持本体部１８に例えば１０個程度の各鍵２に対した状態で鍵２の配列方向に沿って一体に形成されている。
【００２３】
この軸支持部１９は、図２および図３に示すように、伝達保持本体部１８の後端部（図２では左端部）に各鍵２と対応して形成された一対のガイド壁と、これら一対のガイド壁間に形成された伝達保持軸２０と、を有している。一対のガイド壁は、伝達部材１０の後述する伝達嵌合部２２を両側から摺動可能に挟んだ状態で、伝達部材１０の伝達嵌合部２２を回転可能にガイドするガイド部を構成している。
【００２４】
伝達部材１０は、ＡＢＳ樹脂などの硬質の合成樹脂からなり、図２〜図４に示すように、鍵２の押鍵操作に応じて上下方向に回転してハンマー部材１１を上下方向に回転させる伝達本体部２１と、この伝達本体部２１に一体に形成されて伝達保持部１２の伝達保持軸２０に回転自在に取り付けられる伝達嵌合部２２と、を有している。
【００２５】
伝達嵌合部２２は、図２〜図４に示すように、全体が逆Ｃ字形状に形成され、伝達本体部２１の後端部に後方に突出して形成されている。すなわち、この伝達嵌合部２２は、鍵２の配列方向の厚みが軸支持部１９の一対のガイド壁間に設けられた伝達保持軸２０とほぼ同じ長さに形成されて、一対のガイド壁間に摺動可能に挿入されるように構成されている。
【００２６】
また、この伝達嵌合部２２は、図２および図３に示すように、その中心部に伝達保持部１２の伝達保持軸２０が嵌合する嵌合孔２２ａが形成され、この嵌合孔２２ａの周囲における一部、つまり嵌合孔２２ａの周囲における後部に伝達保持軸２０が挿脱可能に挿入する挿入口２２ｂが形成され、この挿入口２２ｂを通して伝達保持軸２０が嵌合孔２２ａに挿入することにより、伝達保持軸２０に回転可能に取り付けられるように構成されている。
【００２７】
一方、伝達本体部２１は、図２〜図４に示すように、その全体が弾性変形可能な弾性変形部２３と、ハンマー部材１１を押し上げるハンマー押上げ部２４と、を有している。弾性変形部２３は、弾力性を有するばね部であり、鍵２に当接して押し上げられる第１弾性変形部２３ａと、ハンマー部材１１に当接してハンマー部材１１を押し上げる第２弾性変形部２３ｂとを有し、これらが伝達嵌合部２２と共に一体に形成された構成になっている。
【００２８】
第１弾性変形部２３ａは、図２および図３に示すように、伝達嵌合部２２の前端部に形成された連結取付部２１ａの下端部から鍵２の前側に向けて前下り（図２では右下り）に傾斜して設けられている。第２弾性変形部２３ｂは、連結取付部２１ａの上端部からハンマー部材１１の前端下部に向けて前上り（図２では右上り）に傾斜し、この傾斜した上部の前端が前下がり（図２では右下り）に傾斜して設けられている。
【００２９】
この場合、第１弾性変形部２３ａは、図２および図３に示すように、連結取付部２１ａの下端部から伝達支持レール１４に沿ってその上方に位置し、この伝達支持レール１４の前端部に対応する個所から前下り（図２では右下り）に傾斜し、この傾斜した前部が鍵２とほぼ平行に折り曲げられた構成になっている。
【００３０】
また、第２弾性変形部２３ｂは、図２および図３に示すように、連結取付部２１ａの上端部からハンマー部材１１の後述するハンマー嵌合部３３に向けて前上り（図２では右上り）に傾斜し、この傾斜した前端上部からマンマー支持レール１５の下側に向けて前下り（図２では右下り）に傾斜した構成になっている。
【００３１】
これにより、弾性変形部２３は、図２〜図４に示すように、全体がほぼ「く」の字形状に形成されている。この弾性変形部２３は、鍵２の押鍵操作に応じてハンマー部材１１を弾力的に押し上げると共に、予め定められた荷重以上の負荷が加わった際に、第１弾性変形部２３ａと第２弾性変形部２３ｂとが互いに接近する方向に弾性変形するように構成されている。
【００３２】
この場合、ハンマー支持レール１５が取り付けられる支持部材１６の前側レール支持部１６ｄには、図２および図３に示すように、伝達ストッパ支持部材２５ａが複数の鍵２の配列方向に沿って設けられている。この伝達ストッパ支持部材２５ａには、伝達部材１０の上限位置を規制する複数の伝達ストッパ部２５が設けられている。
【００３３】
すなわち、複数の伝達ストッパ部２５は、図２および図３に示すように、伝達ストッパ支持部材２５ａから複数の伝達部材１０の各弾性変形部２３における前端部側の上方に突出して配置され、弾性変形部２３の第２弾性変形部２３ｂが下側から弾力的に当接することにより、第２弾性変形部２３ｂの上限位置を規制するように構成されている。
【００３４】
また、伝達本体部２１のハンマー押上げ部２４は、図２〜図４に示すように、弾性変形部２３に一体に形成され、この弾性変形部２３の上側に位置する第２弾性変形部２３ｂが伝達ストッパ部２５に当接して上限位置が規制された状態で、弾性変形部２３が弾性変形した際に、弾性変形部２３の上方に突出してハンマー部材１１を押し上げて回転動作させるように構成されている。
【００３５】
すなわち、このハンマー押上げ部２４は、図２〜図４に示すように、その下端部が第１弾性変形部２３ａ上に設けられ、上端部が第２弾性変形部２３ｂにその前後方向（図４（ｂ）では左右方向）に沿って形成されたスリット孔２３ｃに挿入されて、弾性変形部２３の弾性変形に応じて第２弾性変形部２３ｂの上下方向に相対的に移動するように構成されている。
【００３６】
この場合、ハンマー押上げ部２４は、図４（ａ）〜図４（ｃ）に示すように、上下方向に細長い板状に形成され、その下部が後述する逃げ変形部２４ａを介して第１弾性変形部２３ａ上に起立した状態で一体に形成され、上端部が第２弾性変形部２３ｂのスリット孔２３ｃ内に挿入されるように構成されている。スリット孔２３ｃは、第２弾性変形部２３ｂの前端部から前後方向における中間部附近に亘って設けられている。
【００３７】
また、このハンマー押上げ部２４は、図２〜図４に示すように、ハンマー部材１１の後述するハンマー突起部２７にその下側から接離可能に当接するように構成されている。この場合、ハンマー押上げ部２４は、その下端部に逃げ変形部２４ａが設けられ、この逃げ変形部２４ａの弾性変形によって伝達部材１０の前後方向に弾力的に変位するように構成されている。
【００３８】
すなわち、この逃げ変形部２４ａは、図２〜図４に示すように、ハンマー押上げ部２４の下端部に設けられた弾性変形部であり、ハンマー押上げ部２４に対して直交する厚みの薄い板状に形成され、鍵２の前後方向に弾性変形し、ハンマー押上げ部２４の上端部をハンマー部材１１のハンマー突起部２７から逃すように構成されている。
【００３９】
これにより、ハンマー押上げ部２４は、図３に示すように、その上端部がハンマー部材１１のハンマー突起部２７に当接した状態で、予め定められた荷重以上の負荷がハンマー部材１１に加わった際に、逃げ変形部２４ａが伝達部材１０の前後方向に向けて弾性変形することにより、ハンマー押上げ部２４の上端部がハンマー部材１１のハンマー突起部２７から逃げるように構成されている。
【００４０】
ところで、伝達本体部２１の下端部、つまり第１弾性変形部２３の前端下部には、図２および図３に示すように、伝達フェルト２１ｂが設けられている。この伝達フェルト２１ｂは、鍵２の後側上部に設けられたキャプスタン２６が下側から当接するように構成されている。これにより、伝達部材１０は、鍵２が押鍵された際に、伝達フェルト２１ｂに下側から当接する鍵２のキャプスタン２６によって押し上げられて、伝達保持軸２０を中心に反時計回りに回転するように構成されている。
【００４１】
一方、ハンマー支持レール１５は、図１〜図３に示すように、伝達支持レール１４と同様、断面が四角形の角筒状に形成され、複数の鍵２の配列方向の全長に亘る長さに形成されている。このハンマー支持レール１５は、鍵２の配列方向における所定箇所が複数の支持部材１６の各前側レール支持部１６ｄ上に取り付けられるように構成されている。このハンマー支持レール１５上には、複数のハンマー保持部１３が鍵２の配列方向に沿って取り付けられている。
【００４２】
ハンマー保持部１３は、ＡＢＳ樹脂などの硬質の合成樹脂からなり、図２および図３に示すように、上方が開放されたほぼ箱形状のレール状をなす取付本体部２８と、この取付本体部２８の後端部に鍵２の配列方向に沿って一体に形成された複数の軸支持部２９と、を有している。これら複数の軸支持部２９は、例えば１０個程度の各鍵２に対した状態で鍵２の配列方向に沿って配列されている。この軸支持部２９は、ハンマー部材１１が回転自在に取り付けられて、ハンマー部材１１の横振れを防ぐように構成されている。
【００４３】
すなわち、このハンマー保持部１３の軸支持部２９は、図２および図３に示すように、取付本体部２８の後端部（図２では左端部）に各伝達部材１０と対応して形成された一対のガイド壁と、これら一対のガイド壁間に形成されたハンマー保持軸３０と、を有している。一対のガイド壁は、ハンマー部材１１の後述するハンマー嵌合部３３を両側から摺動可能に挟んだ状態で、ハンマー部材１１のハンマー嵌合部３３を回転可能にガイドするガイド部を構成している。
【００４４】
ハンマー部材１１は、ＡＢＳ樹脂などの硬質の合成樹脂からなり、図２および図３に示すように、ハンマー部３１とハンマーアーム３２とを有し、これらが一体に形成された構成になっている。ハンマー部３１は、杓子形状の縦板部３１ａを有し、その外周部およびその両側面に複数のリブ部３１ｂが形成された構成になっている。この場合、ハンマー部３１は、杓子形状の縦板部３１ａの形状および複数のリブ部３１ｂの形成密度によって、ハンマー部材１１の重量が調整されるように構成されている。
【００４５】
ハンマーアーム３２は、図２および図３に示すように、前後方向の長さが伝達部材１０とほぼ同じ長さの縦板部３２ａと、この縦板部３２ａの上下辺部および両側面に形成された複数のリブ部３２ｂと、を有している。このハンマーアーム３２の前端部（図２では右端部）には、ハンマー保持部１３に回転自在に取り付けられるハンマー嵌合部３３が形成されている。
【００４６】
このハンマー嵌合部３３は、図２および図３に示すように、伝達嵌合部２２と同様、全体がＣ字形状に形成され、ハンマーアーム３２の前端部に前方に突出して形成されている。すなわち、このハンマー嵌合部３３は、鍵２の配列方向の厚みが軸支持部２９の一対のガイド壁間に設けられたハンマー保持軸３０とほぼ同じ長さに形成されて、一対のガイド壁間に摺動可能に挿入されるように構成されている。
【００４７】
また、このハンマー嵌合部３３は、図２および図３に示すように、その中心にハンマー保持部１３のハンマー保持軸３０が嵌合する嵌合孔３３ａが形成され、この嵌合孔３３ａの周囲における一部、つまり嵌合孔３３ａの周囲における前部にハンマー保持軸３０が挿脱可能に挿入する挿入口３３ｂが形成され、この挿入口３３ｂを通してハンマー保持軸３０が嵌合孔３３ａに挿入することにより、ハンマー保持軸３０に回転可能に取り付けられるように構成されている。
【００４８】
また、ハンマーアーム３２の前端下部には、図２および図３に示すように、伝達本体部２１のハンマー押上げ部２４に上方から当接するハンマー突起部２７が設けられている。この場合、ハンマー突起部２７の下端部は、その下側に向けて突出する円弧状に形成されている。また、このハンマー突起部２７に当接する伝達部材１０のハンマー押上げ部２４の上端部は、その上側に向けて突出する円弧状に形成されている。
【００４９】
これにより、ハンマー部材１１は、図２および図３に示すように、伝達部材１０が反時計回りに回転すると、その回転に応じて伝達本体部２１の第２弾性変形部２３ｂの前端上部がハンマーアーム３２を押し上げて、弾性変形部２３が弾性変形した後に、伝達本体部２１のハンマー押上げ部２４によってハンマー突起部２７が押し上げられることにより、ハンマー保持部１３のハンマー保持軸３０を中心に時計回りに回転するように構成されている。
【００５０】
この場合、ハンマー部材１１は、図３に示すように、伝達本体部２１のハンマー押上げ部２４によってハンマー突起部２７が押し上げられて、後述するゴムスイッチ４２に押し当てられた際に、ハンマー押上げ部２４に予め定められた荷重以上の負荷が加わることにより、ハンマー押上げ部２４の逃げ変形部２４ａが弾性変形して、ハンマー押上げ部２４の円弧状の上端部がハンマー部材１１のハンマー突起部２７の円弧状の下端部から急激に外れて逃げるように構成されている。
【００５１】
ところで、このハンマーアーム３２は、図２および図３に示すように、その後端下部が下限ストッパ３４に上方から当接することにより、初期位置である下限位置に規制されるように構成されている。すなわち、この下限ストッパ３４は、伝達支持レール１４上に設けられた複数のストッパ支持部１７に支持された下限ストッパレール３５上に取り付けられている。これにより、ハンマー部材１１は、ハンマーアーム３２の後端下部が下限ストッパ３４に上方から当接することにより、後部下がりに傾斜した状態で、初期位置に位置規制されるように構成されている。
【００５２】
また、このハンマーアーム３２は、図２および図３に示すように、その後端上部が上限ストッパ３６に下方から当接することにより、上限位置が規制されるように構成されている。すなわち、この上限ストッパ３６は、複数の支持部材１６の各ストッパレール支持部１６ｅに取り付けられた上限ストッパレール３７の下面に取り付けられている。
【００５３】
これにより、ハンマー部材１１は、図２および図３に示すように、ハンマーアーム３２がハンマー保持部１３のハンマー保持軸３０を中心に時計回りに回転した際に、ハンマーアーム３２の後端上部が上限ストッパ３６に下方から当接することにより、上限位置が規制されるように構成されている。
【００５４】
さらに、ハンマーアーム３２の前端上部には、図２および図３に示すように、スイッチ押圧部３８が形成されている。このハンマーアーム３２のスイッチ押圧部３８に対応する上方には、スイッチ基板４０を搭載するための一対の基板支持レール４１が配置されている。これら一対の基板支持レール４１は、それぞれ断面がＬ字形状に形成された長板であり、鍵２の配列方向の全長に亘る長さに形成されている。
【００５５】
これら一対の基板支持レール４１は、図１〜図３に示すように、その各水平部が複数の支持部材１６の各基板レール支持部１６ｆ上に所定間隔離れた状態で取り付けられている。これら一対の基板支持レール４１上には、複数のスイッチ基板４０が鍵２の配列方向に沿って取り付けられている。複数のスイッチ基板４０は、図１に示すように、例えば２０個程度の各鍵２に対応する長さに形成され、鍵２の配列方向の全長に対して４つに分割されている。
【００５６】
これらスイッチ基板４０の下面には、図２および図３に示すように、ゴムスイッチ４２がそれぞれ設けられている。このゴムスイッチ４２は、鍵２の配列方向に長いゴムシートに逆ドーム状の膨出部４２ａが複数のハンマーアーム３２にそれぞれ対応して形成された構成になっている。この膨出部４２ａの内部には、スイッチ基板４０の下面に設けられた複数の固定接点（図示せず）に接離可能に接触する複数の可動接点４２ｂがハンマーアーム３２の前後方向に沿って設けられている。
【００５７】
これにより、ゴムスイッチ４２は、図３に示すように、ハンマー部材１１がハンマー保持部１３のハンマー保持軸３０を中心に時計回りに回転して、ハンマーアーム３２のスイッチ押圧部３８によって下側から押圧された際に、逆ドーム状の膨出部４２ａが弾性変形して、複数の可動接点４２ｂが時間差をもって順次、複数の固定接点に接触するように構成されている。
【００５８】
また、音源部４０ａは、図２および図３に示すように、鍵２の押鍵強さに応じて出力されたゴムスイッチ４２のスイッチ信号に応答して楽音信号を生成し、この楽音信号に基づいてスピーカ（図示せず）から楽音を放音させるように構成されている。
【００５９】
次に、このような電子鍵盤楽器の鍵盤装置１の作用について説明する。
この鍵盤装置１では、鍵２が押鍵操作されていない初期状態のときに、伝達部材１０が伝達保持部１２の伝達保持軸２０を中心に時計回りに回転して、伝達本体部２１における弾性変形部２３の第１弾性変形部の下面に設けられた伝達フェルト２１ｂが鍵２のキャプスタン２６に上方から当接する。
【００６０】
これにより、鍵２が伝達部材１０によって押されてバランスピン４ａ、４ｂを中心に反時計回りに回転し、鍵２の後端部がクッション材６ａ、６ｂに当接して、鍵２が初期位置に規制されると共に、伝達部材１０も初期位置に規制されている。また、このときには、伝達本体部２１における弾性変形部２３の第２弾性変形部２３ｂの前端上部が伝達ストッパ部２５から下側に離れた位置に配置されている。
【００６１】
このため、弾性変形部２３は、負荷が加わらない自由状態になる。この状態では、第１弾性変形部２３ａと第２弾性変形部２３ｂとが互いに離れる方向に弾性変形することにより、伝達本体部２１のハンマー押上げ部２４の上端部が、第２弾性変形部２３ｂから上方に突出せず、第２弾性変形部２３ｂのスリット孔２３ｃ内に潜り込んだ状態になる。
【００６２】
また、この状態では、ハンマー部材１１がその自重でハンマー保持部１３のハンマー保持軸３０を中心に反時計回りに回転して、ハンマーアーム３２が下限ストッパ３４に当接して下限位置に位置規制されている。このため、ハンマー部材１１のハンマー突起部２７は、第２弾性変形部２３ｂの上面に接触または接近した位置に保持される。
【００６３】
また、この状態では、ハンマー部材１１のスイッチ押圧部３８がスイッチ基板４０のゴムスイッチ４２から下側に離れた位置に配置される。このため、ゴムスイッチ４２は、その膨出部４２ａが膨張した自由状態になり、複数の可動接点４２ｂが固定接点（図示せず）から離れることにより、オフ状態になっている。このように、鍵２、伝達部材１０、およびハンマー部材１１が初期位置に配置されている場合には、図５にＡ点で示すように、伝達部材１０の重量によって鍵２に一定の荷重が付与されている。
【００６４】
次に、このような状態の鍵２を押鍵操作して演奏する場合について説明する。
この場合には、鍵２が押鍵操されると、図３に示すように、鍵２がバランスピン４ａ、４ｂを中心に時計回りに回転し、鍵２のキャプスタン２６が伝達部材１０の第１弾性変形部２３ａを押し上げる。これにより、伝達部材１０が伝達保持部１２の伝達保持軸２０を中心に反時計回りに回転する。
【００６５】
このときには、伝達部材１０の弾性変形部２３は弾性変形せず、弾性変形部２３ｂの第２弾性変形部２３ｂが、その上面に接触または接近しているハンマー部材１１のハンマー突起部２７を押上げる。これにより、ハンマー部材１１がハンマー保持部１３のハンマー保持軸３０を中心に時計回りに回転して、鍵２にアクション荷重を付与する。
【００６６】
このようにハンマー部材１１がハンマー保持軸３０を中心に時計回りに回転する際には、ハンマー部材１１の慣性モーメントによって鍵２にアクション荷重が付与される。すなわち、ハンマーアーム３２は、鍵２の前後方向の長さが伝達部材１０とほぼ同じ長さに形成され、このハンマーアーム３２の後端部にハンマー部３１が形成され、この状態でハンマーアーム３２の前端部のハンマー嵌合部３３がハンマー保持軸３０に回転可能に取り付けられている。
【００６７】
このため、ハンマー部材１１がハンマー保持軸３０を中心に時計回りに回転する際には、ハンマーアーム３２とハンマー部３１とによって、ハンマー部材１１に慣性モーメントが発生し、この慣性モーメントによって鍵２にアクション荷重が付与される。このときには、図５にＢ点で示すように、鍵荷重が急激に上昇する。
【００６８】
このように伝達部材１０が、伝達保持部１２の伝達保持軸２０を中心に反時計回りに回転して、ハンマー部材１１を押し上げると、伝達本体部２１の弾性変形部２３における第２弾性変形部２３ｂの前端上部が伝達ストッパ部２５に当接し、弾性変形部２３が収縮する方向に弾性変形する。すなわち、弾性変形部２３の第１弾性変形部２３ａと第２弾性変形部２３ｂとが互いに接近する方向に弾性変形する。すると、伝達本体部２１のハンマー押上げ部２４の上端部が第２弾性変形部２３ｂの上方に突出して、ハンマー部材１１のハンマー突起部２７を押し上げる。
【００６９】
すなわち、ハンマー押上げ部２４は、第１弾性変形部２３ａ上に起立して設けられているので、第１弾性変形部２３ａと第２弾性変形部２３ｂとが互いに接近する方向に弾性変形すると、ハンマー押上げ部２４が第２弾性変形部２３ｂに対して相対的に上方に移動し、このハンマー押上げ部２４の上端部が第２弾性変形部２３ｂのスリット孔２３ｃからその上方に突出する。
【００７０】
これにより、ハンマー押上げ部２４がハンマー部材１１のハンマー突起部２７を第２弾性変形部２３ｂの上方に押し上げるので、ハンマー部材１１がハンマー保持軸３０を中心に時計回りに更に回転する。このときには、図５にＣ点で示すように、鍵荷重がほぼ一定の状態を維持する。
【００７１】
そして、ハンマーアーム３２のスイッチ押圧部３８がスイッチ基板４０に設けられたゴムスイッチ４２の逆ドーム状の膨出部４２ａを下側から押圧する。すると、逆ドーム状の膨出部４２ａが弾性変形して、膨出部４２ａ内の複数の可動接点４２ｂが時間差をもって順次、複数の固定接点に接触する。これにより、ゴムスイッチ４２が鍵２の押鍵強さに応じたスイッチ信号を出力する。
【００７２】
このゴムスイッチ４２で出力されたスイッチ信号に応答してスイッチ基板４０上に設けられた音源部４０ａが楽音信号を生成し、この楽音信号に基づいてスピーカ（図示せず）から楽音を発生する。このときには、図５にＤ点で示すように、複数の可動接点４２ｂが時間差をもって順次、複数の固定接点に接触することにより、段階的に鍵荷重が上昇する。
【００７３】
そして、伝達部材１０のハンマー押上げ部２４の上端部がハンマー部材１１のハンマー突起部２７を更に押し上げて、ハンマー部材１１がハンマー保持軸３０を中心に更に時計回りに回転すると、ハンマー部材１１のスイッチ押圧部３８がゴムスイッチ４２に強く押し当てられる。このため、図５にＥ点で示すように、鍵荷重が急激に上昇する。
【００７４】
このように、ハンマー部材１１のスイッチ押圧部３８がゴムスイッチ４２に強く押し当てられると、ハンマー部材１１のハンマー突起部２７に当接しているハンマー押上げ部２４の下部に設けられた逃げ変形部２４ａが弾性変形して、ハンマー押上げ部２４の上端部がハンマー部材１１のハンマー突起部２７から急激に外れて逃げる。このため、図５にＦ点で示すように、鍵荷重が急激に軽くなり、鍵２に鍵荷重が抜けるレットオフ感が付与される。
【００７５】
そして、更に伝達部材１０のハンマー押上げ部２４の上端部がハンマー部材１１のハンマー突起部２７を押し上げると、ハンマーアーム３２が上限ストッパ３６に押し付けられるので、図５にＧ点で示すように、鍵荷重が再び急激に上昇する。
【００７６】
この後、鍵２が初期位置に戻る離鍵動作を開始する。すると、伝達部材１０がその自重で時計回りに回転すると共に、ハンマー部材１１がその自重で反時計回りに回転するので、図５にＨ点で示すように、鍵荷重が急激に軽くなる。そして、伝達部材１０とハンマー部材１１とが更に回転する際には、ハンマー押上げ部２４の上端部がハンマー部材１１のハンマー突起部２７から外れた状態で逃げているので、図５にＩ点で示すように、鍵荷重はほぼ一定の状態を維持する。
【００７７】
この後、ハンマー部材１１のスイッチ押圧部３８がスイッチ基板４０のゴムスイッチ４２の弾性復帰力によって押されるので、図５にＪ点で示すように、鍵荷重が段階的に軽くなる。すなわち、ゴムスイッチ４２の膨出部４２ａ内の複数の可動接点４２ｂが時間差をもって順次、複数の固定接点から離れるので、鍵荷重が段階的に軽くなる。
【００７８】
そして、ハンマー部材１１のスイッチ押圧部３８がスイッチ基板４０のゴムスイッチ４２から離れると、伝達部材１０のハンマー押上げ部２４の下部に設けられた逃げ変形部２４ａが弾性復帰して、ハンマー押上げ部２４の上端部がハンマー部材１１のハンマー突起部２７の下側に変位する。
【００７９】
このときには、伝達部材１０の弾性変形部２３の第２弾性変形部２３ｂが伝達ストッパ部２５に当接した状態で、第１弾性変形部２３ａと第２弾性変形部２３ｂとが互いに離れる方向に向けて弾性変形することにより、弾性変形部２３が元の自由状態に弾性復帰する。このため、伝達部材１０のハンマー押上げ部２４の上端部が第２弾性変形部２３ｂのスリット孔２３ｃ内に潜り込む。これにより、ハンマー部材１１のハンマー突起部２７が第２弾性変形部２３ｂの上面に当接する。このときには、図５にＫ点で示すように、鍵荷重はほぼ一定の状態を維持する。
【００８０】
この後、伝達部材１０とハンマー部材１１とが更に回転する際には、伝達部材１０とハンマー部材１１との各自重によって伝達部材１０とハンマー部材１１とが回転するので、図５にＡ点で示すように、鍵荷重が急激に軽くなり、伝達部材１０とハンマー部材１１とが初期位置に戻る。これにより、鍵２の押鍵時および鍵２の離鍵時において、アコ―スティックピアノの鍵タッチ感に近似した鍵タッチ感が得られる。
【００８１】
ところで、鍵２が初期位置に戻る離鍵動作の途中、つまりハンマー押上げ部２４の上端部が弾性変形部２３内に潜り込んだ状態のときに、同じ鍵２が再び押鍵されると、ハンマー押上げ部２４の上端部がハンマー部材１１のハンマー突起部２７を速やかに押し上げる。このため、鍵２が初期位置に戻っていなくても、ハンマー押上げ部２４によってハンマー部材１１を押し上げて回転させる。これにより、鍵２が初期位置に戻る途中で、同一鍵２を連打することができる。
【００８２】
このときにも、ハンマー部材１１のスイッチ押圧部３８が再びゴムスイッチ４２を押圧して、このゴムスイッチ４２からスイッチ信号が出力される。また、このときにも、スイッチ押圧部３８がゴムスイッチ４２に強く押し付けられると、ハンマー押上げ部２４の逃げ変形部２４ａが弾性変形して、ハンマー押上げ部２４の上端部がハンマー部材１１のハンマー突起部２７から急激に外れて逃げる。このため、鍵荷重が急激に軽くなり、鍵２に鍵荷重が抜けるレットオフ感が付与される。
【００８３】
このように、この鍵盤楽器のアクション機構３によれば、複数の鍵２それぞれに対応して設けられ、複数の鍵２それぞれの押鍵操作によって回転し、予め定められた荷重以上の負荷が加わった際に弾性変形する弾性変形部２３を有する複数の伝達部材１０と、複数の鍵２それぞれに対応して設けられ、押鍵操作された鍵２に対応する伝達部材１０によって回転動作して、鍵２に対してアクション荷重を付与する複数のハンマー部材１１と、複数の伝達部材１０それぞれに設けられ、複数の伝達部材１０それぞれの弾性変形部２３が弾性変形した際に、ハンマー部材１１を押し上げる複数のハンマー押上げ部２４と、を備えていることにより、単な構造で、生産性が良く、かつアコ―スティックピアノの鍵タッチ感に近似した鍵タッチ感を得ることができる。
【００８４】
すなわち、この鍵盤楽器のアクション機構３では、鍵２が押鍵されて伝達部材１０を押し上げる際に、伝達部材１０の弾性変形部２３が弾性変形してハンマー部材１１の動作に遅れを生じさせることができると共に、伝達部材１０の弾性変形部２３が弾性変形した際に、ハンマー押上げ部２４によってハンマー部材１１を押し上げて回転させることができる。
【００８５】
また、この鍵盤楽器のアクション機構３では、離鍵時に弾性変形部２３の弾性復帰によってハンマー押上げ部２４を弾性変形部２３内に潜り込ませることができるので、鍵２が初期位置に戻る途中で、同じ鍵２が再び押鍵操作された際に、ハンマー押上げ部２４によってハンマー部材１１を速やかに押し上げることができるので、良好に同一鍵２を高速で連打することができ、同一鍵２の連打性を向上させることができる。
【００８６】
これにより、この鍵盤楽器のアクション機構３では、押鍵操作時に良好にハンマー部材１１の動作に遅れを生じさせることができると共に、離鍵時に同一鍵２の連打性を向上させることができるので、アコ―スティックピアノの鍵タッチ感に極めて近似した鍵タッチ感を得ることができると共に、伝達部材１０に弾性変形部２３およびハンマー押上げ部２４を一体に形成するだけの構成であるから、構造が簡単で、生産性の向上を図ることができる。
【００８７】
この場合、この鍵盤楽器のアクション機構３では、複数の伝達部材１０それぞれに対応して設けられ、複数の弾性変形部２３それぞれの上限位置を規制する複数の伝達ストッパ部２５を備えていることにより、鍵２の押鍵操作に応じて弾性変形部２３が押し上げられて伝達ストッパ部２５に当接した際に、弾性変形部２３を確実に弾性変形させることができ、これによりハンマー部材１１の動作に遅れを生じさせることができると共に、ハンマー押上げ部２４を弾性変形部２３の上方に突出させることができるので、ハンマー部材１１を確実に押し上げて回転させることができる。
【００８８】
また、この鍵盤楽器のアクション機構３では、伝達部材１０の弾性変形部２３が、鍵２に当接して押し上げられる第１弾性変形部２３ａと、ハンマー部材１１に当接してハンマー部材１１を押し上げる第２弾性変形部２３ｂとを有し、第１弾性変形部２３ａと第２弾性変形部２３ｂとが互いに接離する方向に弾性変形することにより、鍵２の押鍵操作に応じて伝達部材１０が押し上げられて、伝達ストッパ部２５によって弾性変形部２３の上限位置が規制された際に、第１弾性変形部２３ａと第２弾性変形部２３ｂとを確実にかつ良好に互いに接近する方向に弾性変形させることができ、これによりハンマー部材１１の動作に遅れを生じさせることができる。
【００８９】
この場合、伝達ストッパ部２５は、ハンマー部材１１に当接してハンマー部材１１を押し上げる第２弾性変形部２３ａの上限位置を規制することにより、鍵２の押鍵操作に応じて伝達部材１０が押し上げられた際に、伝達ストッパ部２５によって第２弾性変形部２３ｂの上限位置を確実に規制することができ、これにより第１弾性変形部２３ａと第２弾性変形部２３ｂとを互いに接近する方向に弾性変形させて収縮させることができるので、ハンマー押上げ部２４を第２弾性変形部２３ｂの上方に確実に突出させることができる。
【００９０】
また、この鍵盤楽器のアクション機構３では、ハンマー押上げ部２４が鍵２に当接して押し上げられる第１弾性変形部２３ａに設けられていることにより、伝達ストッパ部２５によって第２弾性変形部２３ｂの上限位置が規制されて、第１弾性変形部２３ａと第２弾性変形部２３ｂとが互いに接近する方向に弾性変形する際に、第１弾性変形部２３ａが鍵２によって押し上げられるので、この第１弾性変形部２３ａによってハンマー押上げ部２４を確実に押し上げることができ、これによりハンマー押上げ部２４によってハンマー部材１１を確実に押し上げることができる。
【００９１】
この場合、ハンマー部材１１は、ハンマー押上げ部２４が接離可能に当接するハンマー突起部２７を有し、ハンマー押上げ部２４は、ハンマー突起部２７に当接した状態でハンマー部材１１に予め定められた荷重以上の負荷が加わった際に、ハンマー突起部２７から逃げる方向に弾性変形する逃げ変形部２４ａを有していることにより、鍵荷重を急激に軽くすることができる、所謂レットオフ感を鍵２に付与することができる。
【００９２】
すなわち、この鍵盤楽器のアクション機構３では、ハンマー押上げ部２４がハンマー突起部２７に当接した状態で更にハンマー部材１１を押し上げる際に、ハンマー部材１１に負荷が加わると、逃げ変形部２４ａを変形させて、ハンマー押上げ部２４をハンマー突起部２７から外れように逃がすことができるので、鍵荷重を急激に軽くすることができる、所謂レットオフ感を鍵２に付与することができる。
【００９３】
また、この鍵盤楽器のアクション機構３では、複数のハンマー部材１１それぞれに対応して設けられ、複数の伝達部材１０の各ハンマー押上げ部２４が複数のハンマー突起部２７それぞれに当接した状態で複数のハンマー部材１１それぞれを押し上げた際に、スイッチ動作する複数のゴムスイッチ４２を備えていることにより、ハンマー押上げ部２４がハンマー突起部２７に当接してハンマー部材１１を押し上げた際に、ハンマー部材１１がゴムスイッチ４２を押圧してスイッチ動作させることができ、これによりハンマー部材１１の回転動作に応答してオン信号を発生させることができる。
【００９４】
この場合、この鍵盤楽器では、ハンマー部材１１がゴムスイッチ４２を押圧すると、このゴムスイッチ４２によってハンマー部材１１に負荷が加わるので、この負荷によって逃げ変形部２４ａを変形させることができ、これによりハンマー押上げ部２４をハンマー突起部２７から外れように逃がすことができるので、鍵荷重を急激に軽くすることができ、これにより鍵２にレットオフ感を付与することができる。
【００９５】
さらに、この鍵盤楽器では、アクション機構３と、ハンマー部材１１の回転動作に応答して押圧されるゴムスイッチ４２によるオン信号に応答して楽音信号を生成する音源部４０ａと、を備えていることにより、ハンマー押上げ部２４がハンマー突起部２７に当接してハンマー部材１１が押し上げられた際に、ハンマー部材１１のスイッチ押圧部３８によってゴムスイッチ４２が押圧されるので、ゴムスイッチ４２のオン信号に応答して音源部４０ａが楽音信号を生成してスピーカから楽音を放音させることができる。
【００９６】
この場合、ゴムスイッチ４２は、スイッチ基板４０の下面に複数のハンマーアーム３２にそれぞれ対応して設けられた逆ドーム状の膨出部４２ａと、スイッチ基板４０の下面に設けられた複数の固定接点（図示あせず）と、複数の膨出部４２ａ内にそれぞれ設けられて複数の固定接点（図示せず）に接離可能に接触する複数の可動接点４２ｂと、を備えているので、ハンマーアーム３２のスイッチ押圧部３８によって逆ドーム状の膨出部４２ａを下側から押圧して弾性変形させることができ、これにより複数の可動接点４２ｂが時間差をもって順次、複数の固定接点に接触させることができる。
【００９７】
これにより、ゴムスイッチ４２は、鍵２の押鍵強さに応じたオン信号を出力することができ、このゴムスイッチ４２のスイッチ信号に応答して音源部４０ａが楽音信号を生成し、この楽音信号に基づいてスピーカ（図示せず）から鍵２の押鍵強さに応じた楽音を良好に放音させることができる。
【００９８】
なお、上述した実施形態では、複数の弾性変形部２３それぞれの上限位置を規制する複数の伝達ストッパ部２５を備えている場合について述べたが、必ずしも伝達ストッパ部２５を備えている必要はなく、第２弾性変形部２３ｂがハンマー部材１１を押し上げるときに、第１弾性変形部２３ａと第２弾性変形部２３ｂとが互いに接近する方向に弾性変形するように構成しても良い。
【００９９】
また、上述した実施形態では、伝達部材１０の伝達本体部２１の全体を弾性変形部に形成した場合について述べたが、これに限らず、例えば伝達本体部２１の一部、つまり鍵２が当接する個所、またはハンマー部材１１のハンマー突起部２７が当接する個所の各一部に弾性変形部を形成した構成であっても良い。
【０１００】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【０１０１】
（付記）
請求項１に記載の発明は、複数の鍵と、前記複数の鍵それぞれに対応して設けられ、当該複数の鍵それぞれの押鍵操作によって回転し、かつ予め定められた荷重以上の負荷が加わった際に弾性変形する弾性変形部を有する複数の伝達部材と、前記複数の鍵それぞれに対応して設けられ、前記押鍵操作された鍵に対応する前記伝達部材によって回転動作することにより、前記押鍵操作されている鍵に対してアクション荷重を付与する複数のハンマー部材と、前記複数の伝達部材それぞれに設けられ、前記複数の弾性変形部それぞれが弾性変形した際に、前記複数のハンマー部材それぞれを押し上げる複数のハンマー押上げ部と、を備えていることを特徴とする鍵盤装置のアクション機構である。
【０１０２】
請求項２に記載の発明は、請求項１に記載の鍵盤装置のアクション機構において、前記複数の伝達部材それぞれに対応して設けられ、前記複数の弾性変形部それぞれの上限位置を規制する複数の伝達ストッパ部を備えていることを特徴とする鍵盤装置のアクション機構である。
【０１０３】
請求項３に記載の発明は、請求項１または請求項２に記載の鍵盤装置のアクション機構において、前記伝達部材の前記弾性変形部は、前記鍵に当接して押し上げられる第１弾性変形部と、前記ハンマー部材に当接して当該ハンマー部材を押し上げる第２弾性変形部とを有し、前記第１弾性変形部と前記第２弾性変形部とが互いに接近する方向に弾性変形することを特徴とする鍵盤装置のアクション機構である。
【０１０４】
請求項４に記載の発明は、請求項３に記載の鍵盤装置のアクション機構において、前記伝達ストッパ部は、前記ハンマー部材に当接して当該ハンマー部材を押し上げる前記第２弾性変形部の上限位置を規制することを特徴とする鍵盤装置のアクション機構である。
【０１０５】
請求項５に記載の発明は、請求項２〜請求項４のいずれかに記載の鍵盤装置のアクション機構において、前記ハンマー押上げ部は、前記鍵に当接して押し上げられる前記第１弾性変形部に設けられ、前記第１弾性変形部と前記第２弾性変形部とが互いに接近する方向に弾性変形した際に前記第２弾性変形部の上方に突出することを特徴とする鍵盤装置のアクション機構である。
【０１０６】
請求項６に記載の発明は、請求項１〜請求項５のいずれかに記載の鍵盤装置のアクション機構において、前記ハンマー部材は、前記ハンマー押上げ部が接離可能に当接する当接突起部を有し、前記ハンマー押上げ部は、前記当接突起部に当接した状態で前記ハンマー部材に予め定められた以上の負荷が加わった際に、当該当接突起部から逃げる方向に弾性変形する逃げ変形部を有していることを特徴とする鍵盤装置のアクション機構である。
【０１０７】
請求項７に記載の発明は、請求項１〜請求項６のいずれかに記載された鍵盤装置のアクション機構と、前記複数のハンマー部材それぞれに対応して設けられ、当該ハンマー部材の回転動作に応答して押圧されることにより、オン信号を形成するスイッチ部材と、前記オン信号に応答して楽音信号を生成する音源部と、を備えていることを特徴とする鍵盤楽器である。
【符号の説明】
【０１０８】
１  鍵盤装置
２  鍵
３  アクション機構
１０  伝達部材
１１  ハンマー部材
１２  伝達保持部
１３  ハンマー保持部
２０  伝達保持軸
２１  伝達本体部
２２  伝達嵌合部
２３  弾性変形部
２３ａ  第１弾性変形部
２３ｂ  第２弾性変形部
２４  ハンマー押上げ部
２４ａ  逃げ変形部
２５  伝達ストッパ部
２６  キャプスタン
２７  ハンマー突起部
３０  ハンマー保持軸
３１  ハンマー部
３２  ハンマーアーム
３３  ハンマー嵌合部
３６  上限ストッパ
３８  スイッチ押圧部
４０  スイッチ基板
４２  ゴムスイッチ
【図１】
0006555572.tif 000002
【図２】
0006555572.tif 000003
【図３】
0006555572.tif 000004
【図４】
0006555572.tif 000005
【図５】
0006555572.tif 000006